(57)【要約】【課題】画像表示のモード遷移をユーザの感覚に合致させることができる車両用表示装置を提供する。【解決手段】車両用表示装置は、車両における運転者の前方に配置され、画像を表示する画像表示装置３を備え、画像表示装置の情報表示領域３１ｃに表示される画像は、複数のモードのうち選択されたモードに応じた情報を表示する情報画像８０と、各モードに対応する複数の見出し７１，７２，７３，７４，７５，７６が画像横方向に配列され、表示および非表示が切り替えられるメニュー画像７０と、を含み、画像表示装置は、メニュー画像が非表示のときにモードを切り替える操作入力がなされると、メニュー画像を表示させ、かつ複数の見出しのうちアクティブ表示する見出しを変更前のモードに対応する見出し７１から変更後のモードに対応する見出し７２へと変化させるアニメーション表示Ｙ３を行う。【選択図】図７
2018122671.tif 000002
【特許請求の範囲】
【請求項１】
車両における運転者の前方に配置され、画像を表示する画像表示装置を備え、
前記画像表示装置の情報表示領域に表示される画像は、複数のモードのうち選択されたモードに応じた情報を表示する情報画像と、各モードに対応する複数の見出しが画像横方向に配列され、表示および非表示が切り替えられるメニュー画像と、を含み、
前記画像表示装置は、前記メニュー画像が非表示のときにモードを切り替える操作入力がなされると、前記メニュー画像を表示させ、かつ前記複数の見出しのうちアクティブ表示する見出しを変更前のモードに対応する見出しから変更後のモードに対応する見出しへと変化させるアニメーション表示を行う
ことを特徴とする車両用表示装置。
【請求項２】
前記画像表示装置は、前記情報表示領域に表示する画像についての操作入力がなされないまま一定時間が経過すると、前記メニュー画像を非表示とする
請求項１に記載の車両用表示装置。
【請求項３】
前記画像表示装置は、前記変更後のモードに応じた前記情報画像を画像横方向にスライドイン表示させ、
前記スライドイン表示のスライド方向は、前記変更前のモードに対応する見出しから前記変更後のモードに対応する見出しへ向かう方向と逆方向である
請求項１または２に記載の車両用表示装置。
【請求項４】
車両における運転者の前方に配置された画像表示装置に複数のモードのうち選択されたモードに応じた情報画像および各モードに対応する複数の見出しが画像横方向に配列されたメニュー画像を表示する表示ステップを含み、
前記メニュー画像が非表示のときにモードを切り替える操作入力がなされると、前記表示ステップにおいて、前記メニュー画像を表示させ、かつ前記複数の見出しのうちアクティブ表示する見出しを変更前のモードに対応する見出しから変更後のモードに対応する見出しへと変化させるアニメーション表示を行う
ことを特徴とする車両用表示装置の表示方法。
【発明の詳細な説明】
【技術分野】
【０００１】
本発明は、車両用表示装置および車両用表示装置の表示方法に関する。
【背景技術】
【０００２】
従来、画像表示のモードを切り替える車両用表示装置がある。特許文献１には、画像表示手段と、画像表示手段に画像を表示させる制御手段と、を備えた車両用表示装置の技術が開示されている。特許文献１の制御手段は、第１タイトル画像と第１コンテント画像とを有する第１画面から、第２タイトル画像と第２コンテント画像とを有する第２画面へ切り替えるにあたって、第１画面の輝度を減衰させる第１手順と、第１コンテント画像を非表示にし、第１コンテント画像が非表示とされた領域の所定箇所に第２画面の一部を表示させる第２手順と、第１タイトル画像を非表示にし、第２画面をすべて表示させる第３手順と、を実行する。
【先行技術文献】
【特許文献】
【０００３】
【特許文献１】特開２０１６−２２３９８８号公報
【発明の概要】
【発明が解決しようとする課題】
【０００４】
ここで、操作入力に応じた画像表示のモード遷移をユーザの感覚に合致させることについて、なお改良の余地が残されている。例えば、操作入力が正しく反映されたモード遷移であることを視覚的に示すことができれば、モード遷移をユーザの感覚に合致させやすい。
【０００５】
本発明の目的は、画像表示のモード遷移をユーザの感覚に合致させることができる車両用表示装置および車両用表示装置の表示方法を提供することである。
【課題を解決するための手段】
【０００６】
本発明の車両用表示装置は、車両における運転者の前方に配置され、画像を表示する画像表示装置を備え、前記画像表示装置の情報表示領域に表示される画像は、複数のモードのうち選択されたモードに応じた情報を表示する情報画像と、各モードに対応する複数の見出しが画像横方向に配列され、表示および非表示が切り替えられるメニュー画像と、を含み、前記画像表示装置は、前記メニュー画像が非表示のときにモードを切り替える操作入力がなされると、前記メニュー画像を表示させ、かつ前記複数の見出しのうちアクティブ表示する見出しを変更前のモードに対応する見出しから変更後のモードに対応する見出しへと変化させるアニメーション表示を行うことを特徴とする。
【０００７】
本発明の車両用表示装置の表示方法は、車両における運転者の前方に配置された画像表示装置に複数のモードのうち選択されたモードに応じた情報画像および各モードに対応する複数の見出しが画像横方向に配列されたメニュー画像を表示する表示ステップを含み、前記メニュー画像が非表示のときにモードを切り替える操作入力がなされると、前記表示ステップにおいて、前記メニュー画像を表示させ、かつ前記複数の見出しのうちアクティブ表示する見出しを変更前のモードに対応する見出しから変更後のモードに対応する見出しへと変化させるアニメーション表示を行うことを特徴とする。
【発明の効果】
【０００８】
本発明に係る車両用表示装置は、車両における運転者の前方に配置され、画像を表示する画像表示装置を備える。画像表示装置の情報表示領域に表示される画像は、複数のモードのうち選択されたモードに応じた情報を表示する情報画像と、各モードに対応する複数の見出しが画像横方向に配列され、表示および非表示が切り替えられるメニュー画像と、を含む。画像表示装置は、メニュー画像が非表示のときにモードを切り替える操作入力がなされると、メニュー画像を表示させ、かつ複数の見出しのうちアクティブ表示する見出しを変更前のモードに対応する見出しから変更後のモードに対応する見出しへと変化させるアニメーション表示を行う。本発明に係る車両用表示装置によれば、アクティブ表示する見出しを変化させるアニメーション表示によって、モード遷移をユーザの感覚に合致させることができるという効果を奏する。
【図面の簡単な説明】
【０００９】
【図１】図１は、実施形態に係る車両用表示装置の正面図である。
【図２】図２は、実施形態の車両用表示装置においてリングが第二の位置にある状態を示す正面図である。
【図３】図３は、実施形態に係る画像表示装置の正面図である。
【図４】図４は、実施形態の画像表示装置におけるモード遷移完了時を示す図である。
【図５】図５は、実施形態の画像表示装置におけるモード遷移開始前を示す図である。
【図６】図６は、実施形態の画像表示装置におけるメニュー画像のアニメーション表示が開始された状態を示す図である。
【図７】図７は、実施形態の画像表示装置におけるメニュー画像のアニメーション表示の途中を示す図である。
【図８】図８は、実施形態の画像表示装置においてモード遷移の完了後にメニュー画像が非表示となった状態の図である。
【発明を実施するための形態】
【００１０】
以下に、本発明の実施形態に係る車両用表示装置および車両用表示装置の表示方法につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１１】
［実施形態］
図１から図８を参照して、実施形態について説明する。本実施形態は、車両用表示装置および車両用表示装置の表示方法に関する。図１は、実施形態に係る車両用表示装置の正面図、図２は、実施形態の車両用表示装置においてリングが第二の位置にある状態を示す正面図、図３は、実施形態に係る画像表示装置の正面図、図４は、実施形態の画像表示装置におけるモード遷移完了時を示す図、図５は、実施形態の画像表示装置におけるモード遷移開始前を示す図、図６は、実施形態の画像表示装置におけるメニュー画像のアニメーション表示が開始された状態を示す図、図７は、実施形態の画像表示装置におけるメニュー画像のアニメーション表示の途中を示す図、図８は、実施形態の画像表示装置においてモード遷移の完了後にメニュー画像が非表示となった状態の図である。
【００１２】
図１に示すように、本実施形態に係る車両用表示装置１は、筐体２、画像表示装置３、リング４、および文字板５を有する。本実施形態の車両用表示装置１は、車両用のメータ装置としての表示機能を有している。車両用表示装置１は、車両における運転者の前方に配置され、例えば、インストルメントパネルに配置される。
【００１３】
筐体２は、画像表示装置３、リング４、および文字板５を含む部材や装置を内部に収容して保持する。筐体２は、開口２１を有する。筐体２は、開口２１を運転者側に向けて、言い換えると車両後方に向けて配置される。以下では、車両用表示装置１の説明において車両前後方向の後側を「前面側」と称し、車両前後方向の前側を「背面側」と称する。車両用表示装置１は、前面側を運転者に向けて配置されている。運転者は、開口２１を介して画像表示装置３、リング４、および文字板５を視認する。
【００１４】
図１に示すように、正面から見た場合の筐体２の形状は、車幅方向Ｗの長さが車両上下方向Ｈの長さよりも長い矩形状である。筐体２は、金属や合成樹脂等によって形成されている。筐体２の前面には、開口２１から前面側に向けて突出する見返し２２が設けられている。見返し２２は、筒状の構成部であり、筐体２の本体部分と一体に形成されている。見返し２２の前面側は、透明なカバーによって閉塞される。
【００１５】
文字板５は、板状の部材であり、開口２１を背面側から閉塞するように配置されている。文字板５は、例えば、合成樹脂で形成されている。文字板５は、筐体２に対して固定されている。文字板５の中央部には、窓５１が設けられている。窓５１は、光を透過させる部分である。窓５１は、文字板５を貫通する貫通孔であってもよく、文字板５に設けられた透光性の領域であってもよい。窓５１の形状は、車幅方向Ｗの長さが車両上下方向Ｈの長さよりも長い横長の形状である。本実施形態の窓５１の形状は、矩形の短辺部分を車幅方向Ｗに向けて円弧状に突出させた形状である。窓５１の円弧部分の形状は、リング４の形状と対応している。
【００１６】
車幅方向Ｗにおける窓５１の両側には、表示意匠領域５２，５３が設けられている。表示意匠領域５２は、窓５１に対して車幅方向Ｗの一方側に配置され、表示意匠領域５３は、窓５１に対して車幅方向Ｗの他方側に配置されている。表示意匠領域５２，５３には、それぞれ複数の表示意匠５４が配置されている。表示意匠５４は、車両に関する各種の情報を示す図形や文字である。表示意匠５４は、例えば、文字板５に対する印刷の中抜き領域であり、透光性の領域である。表示意匠領域５２，５３の背面側には、それぞれの表示意匠５４に対して光源が配置されている。表示意匠５４は、対応する光源が点灯されることにより文字または図形を表示する。
【００１７】
画像表示装置３は、文字板５の背面側に配置されている。本実施形態の画像表示装置３は、ＴＦＴ−ＬＣＤ（Thin  Film  Transistor−Liquid  Crystal  Display）等の液晶表示装置である。図３に示すように、画像表示装置３は、液晶表示部３１および枠部材３２を有する。枠部材３２は、液晶表示部３１の縁部を囲み、液晶表示部３１を支持している。
【００１８】
画像表示装置３は、液晶表示部３１を前面側に向けて配置されている。液晶表示部３１の背面側には、バックライトユニットが配置されている。また、画像表示装置３は、液晶表示部３１およびバックライトユニットを制御する制御部を有している。液晶表示部３１は、制御部の指令に応じて任意の画像を表示する。液晶表示部３１に表示された画像は、バックライトユニットが照射する光によって前面側に向けて投影される。
【００１９】
文字板５の窓５１の大きさは、液晶表示部３１の大きさよりも小さい。窓５１は、液晶表示部３１の主要部と対向している。運転者側からは、窓５１を介して液晶表示部３１の主要部を視認可能である。文字板５は、窓５１の周辺部分によって液晶表示部３１の縁部や液晶表示部３１を保持する枠部材３２を運転者側から遮蔽している。液晶表示部３１において、窓５１に対応する領域を「画像表示領域３１ａ」（図３参照）と称する。画像表示領域３１ａは、各種の画像が表示される領域であり、運転者側から視認可能な領域である。
【００２０】
図１に戻り、リング４は、文字板５の前面側に配置された部材である。本実施形態のリング４の形状は、円環形状である。リング４の外径Ｄ１は、開口２１の車両上下方向Ｈにおける最大幅Ｈ１よりもわずかに小さい。リング４の内径Ｄ２は、窓５１の車両上下方向Ｈの幅Ｈ２よりも小さい。リング４の上端は、窓５１の上端よりも車両上側に位置しており、リング４の下端は、窓５１の下端よりも車両下側に位置している。
【００２１】
本実施形態のリング４は、文字板５に対して車幅方向Ｗに相対移動可能である。より詳しくは、リング４の上端部は、図示しない上側保持部材を介して駆動機構に連結されている。上側保持部材は、筐体２に取り付けられたカバー部材６によって運転者側から遮蔽されている。駆動機構は、モータやギアを有しており、モータが発生する回転トルクを車幅方向Ｗの駆動力に変換してリング４に伝達する。駆動機構は、モータの回転方向を切り替えることによりリング４を車幅方向Ｗの左側ＬＳあるいは右側ＲＳに向けて移動させる。
【００２２】
また、リング４の下端部は、図示しない下側保持部材を介して案内部に接続されている。下側保持部材は、筐体２に取り付けられたカバー部材７によって運転者側から遮蔽されている。案内部は、車幅方向Ｗに沿って延在するガイドレール等である。案内部によって車幅方向Ｗにおけるリング４の可動範囲が規定されている。本実施形態のリング４は、図１に示す第一の位置と図２に示す第二の位置との間で車幅方向Ｗに移動可能である。第一の位置は、リング４の可動範囲における最も車両左側ＬＳの位置である。第二の位置は、リング４の可動範囲における最も車両右側ＲＳの位置である。
【００２３】
本実施形態における第一の位置は、開口２１における車幅方向Ｗの中央部である。第一の位置は、窓５１における車幅方向Ｗの中央部でもある。本実施形態における第二の位置は、開口２１における車両右側ＲＳの端部寄りの位置である。第二の位置は、窓５１における車両右側ＲＳの端部である。より具体的には、第二の位置にあるリング４は、図２に示すようにその右端部４２が窓５１の右端部と重なる。
【００２４】
図４に示すように、画像表示装置３は、画像表示領域３１ａに目盛り画像６１、指針画像６２、車速画像６３、シフトポジション画像６４等を表示する。画像表示装置３は、これらの画像６１，６２，６３，６４をリング４よりも内側の領域である内側領域３１ｂに表示する。内側領域３１ｂは、画像表示領域３１ａの一部の領域である。内側領域３１ｂの位置は、車幅方向Ｗに沿ったリング４の移動に応じて変化してもよい。ただし、これに限定されるものではなく、内側領域３１ｂの位置は、リング４が第一の位置にあるときに囲まれる位置や第二の位置にあるときに囲まれる位置であってもよい。図４には、リング４が第二の位置にあるときの表示画像が示されている。
【００２５】
目盛り画像６１は、車両に搭載された駆動源の出力速度に対応する物理量の指標として表示される。本実施形態では、駆動源がエンジンであり、出力速度に対応する物理量がエンジン回転速度［ＲＰＭ］である。指針画像６２は、エンジン回転速度の現在値を示す指針として表示される。より具体的には、指針画像６２は、周方向に沿って配置された複数の目盛り画像６１のうち、現在のエンジン回転速度に対応する位置の目盛り画像６２を指し示すように表示される。
【００２６】
車速画像６３は、車両の現在の走行速度を示す数字の画像である。車速画像６３は、内側領域３１ｂにおける中心よりも画像上下方向の上側の位置に表示される。シフトポジション画像６４は、現在のシフトポジションを示す画像である。シフトポジション画像６４は、画像横方向における車速画像６３の右側、すなわち車幅方向Ｗの右側ＲＳに表示される。
【００２７】
本実施形態の画像表示装置３は、情報表示領域３１ｃに各種の情報を表示する。画像表示装置３は、モードに応じた様々な情報画像８０を情報表示領域３１ｃに表示する。情報表示領域３１ｃは、図４に示すように、画像表示領域３１ａのうち、第二の位置にあるリング４の側方の領域である。本実施形態の画像表示領域３１ａは、リング４よりも画像横方向の左側の領域である。情報表示領域３１ｃは、上端の境界線ＢＵ、下端の境界線ＢＤ、左端の境界線ＢＬ、および右端の境界線ＢＲによって囲まれた領域である。
【００２８】
上端の境界線ＢＵおよび下端の境界線ＢＤは、車幅方向Ｗに延在する直線、言い換えると画像横方向に延在する直線である。情報表示領域３１ｃの左端の境界線ＢＬは、左側ＬＳに向けて湾曲する円弧形状である。情報表示領域３１ｃの右端の境界線ＢＲは、左側ＬＳに向けて湾曲する円弧形状である。右端の境界線ＢＲは、リング４の左端部４１の最外周に対応している。
【００２９】
左端および右端の境界線ＢＬ，ＢＲの形状は、リング４の外周の円弧形状に対応している。本実施形態では、左端および右端の境界線ＢＬ，ＢＲの円弧形状の半径は、リング４の左端部４１の最外周の円弧形状の半径と一致している。
【００３０】
情報表示領域３１ｃに表示される画像は、入力部に対するユーザの操作入力に応じて切り替わる。操作入力を行うユーザは、典型的には車両を運転する運転者である。以下の説明は、操作入力が運転者によってなされるものとして記載する。運転者は、例えば、十字ボタンに対する押下操作等によって、情報表示領域３１ｃの表示内容を操作する。十字ボタンは、例えば、ステアリングホイールに配置される。本実施形態の車両用表示装置１は、十字ボタンの左右ボタンを押下することによって情報表示領域３１ｃの画像表示のモードが切り替えられる。また、各モードにおいて、十字ボタンの上下ボタンを押下することによってそのモードにおける表示態様等を切り替えることができる。
【００３１】
画像表示装置３は、複数のモードのうち選択されたモードに応じた情報画像８０を情報表示領域３１ｃに表示する。本実施形態の画像表示装置３は、第一モードから第六モードまで六つのモードが選択可能である。複数のモードは、例えば、走行情報を表示するモード、オーディオ情報を表示するモード、車両進行方向の方位を表示するモード、運転支援システムの情報を表示するモード、注意情報を表示するモード、設定情報を表示するモードなどを含む。
【００３２】
本実施形態の画像表示装置３は、更に、情報表示領域３１ｃにメニュー画像７０を表示する。メニュー画像７０は、図４に示すように、各モードに対応する複数の見出し７１，７２，７３，７４，７５，７６が画像横方向に配列された画像である。見出し７１，７２，７３，７４，７５，７６は、この順番で左側から右側へ向けて配列されている。第一見出し７１、第二見出し７２、第三見出し７３、第四見出し７４、第五見出し７５、および第六見出し７６は、それぞれ第一モード、第二モード、第三モード、第四モード、第五モード、および第六モードに対応する見出し（タブ）である。
【００３３】
本実施形態のメニュー画像７０は、更に、境界線画像７７およびカーソル画像７８を含む。境界線画像７７は、メニュー画像７０における画像上下方向の下端の境界を示す画像である。つまり、境界線画像７７は、メニュー画像７０の領域と情報画像８０の領域との境界線である。カーソル画像７８は、アクティブなモードに対応する見出しを示す画像である。カーソル画像７８は、境界線画像７７から画像上側に向けて突出する画像である。カーソル画像７８の形状は、例えば、三角形や半円形等である。図４では、アクティブなモードが第二モードであり、カーソル画像７８は第二見出し７２を示す位置に表示されている。アクティブなモードに対応する第二見出し７２は、アクティブ表示される。アクティブ表示される第二見出し７２は、他の見出し７１，７３，７４，７５，７６とは異なる態様で表示される。例えば、アクティブ表示される見出しと非アクティブ表示される見出しとで見出しの輝度、色、サイズ等が異なる。
【００３４】
本実施形態の画像表示装置３は、メニュー画像７０の表示および非表示を切り替える。画像表示装置３は、メニュー画像７０が表示された状態で予め定められた非表示判定条件が成立するとメニュー画像７０を表示状態から非表示状態に切り替える。非表示判定条件は、例えば、情報表示領域３１ｃに表示する画像についての操作入力がなされないまま一定時間が経過することである。本実施形態では、メニュー画像７０が表示されている間に十字ボタンに対する操作入力がなされないままで一定時間が経過すると、メニュー画像７０が非表示とされる。画像表示装置３は、メニュー画像７０を表示状態から非表示状態に遷移させる場合、メニュー画像７０を画像上側に向けてスライドアウトさせる。
【００３５】
メニュー画像７０が非表示となることで、画像表示領域３１ａの情報量を減少させることができる。メニュー画像７０は、モードの遷移時には運転者にとって必要度や優先度が高い一方で、モードの遷移が完了した後は必要度や優先度が低くなる。本実施形態の車両用表示装置１は、優先度が低くなった情報を非表示とすることで、画像表示領域３１ａの視認性を向上させることができる。なお、メニュー画像７０を非表示とする場合、メニュー画像７０が表示されていた領域に別な画像が表示されてもよい。
【００３６】
画像表示装置３は、モードを切り替える操作入力がなされると、情報表示領域３１ｃの表示モードを変更前のモードから変更後のモードに遷移させる。本実施形態の車両用表示装置１は、以下に図４から図８を参照して説明するように、メニュー画像７０が非表示のときにモードを切り替える操作入力がなされると、メニュー画像７０を表示させ、かつ複数の見出し７１，７２，７３，７４，７５，７６のうちアクティブ表示する見出しを変更前のモードに対応する見出しから変更後のモードに対応する見出しへと変化させるアニメーション表示を行う。ここでは、画像表示のモードを第一モードから第二モードへ切り替える操作入力がなされた場合を例に、本実施形態の画像表示装置３の動作について説明する。
【００３７】
図５には、第一モードの画像表示装置３が示されている。言い換えると、図５には、画像表示モードの遷移が開始される前の情報表示領域３１ｃが示されている。情報表示領域３１ｃには、情報画像８０として、第一モードの情報画像８１が表示されている。非表示判定条件が成立していることにより、メニュー画像７０は非表示となっている。第一モードから第二モードへのモード切り替えの操作入力は、十字ボタンの右ボタンを押下する操作である。画像表示装置３は、右ボタンに対する押下操作がなされて第二モードへのモード切り替えが指令されると、メニュー画像７０を表示する。画像表示装置３は、図６に示すように、メニュー画像７０を情報表示領域３１ｃの上端からスライドイン表示させる。画像表示装置３は、図６に矢印Ｙ１で示すように、見出し７１，７２，７３，７４，７５，７６、境界線画像７７、およびカーソル画像７８を画像上下方向の下側へ向けてスライドイン表示させる。
【００３８】
スライドイン表示されるメニュー画像７０では、第一見出し７１がアクティブ表示される。つまり、変更前のモードに対応する第一見出し７１がアクティブ表示された状態でメニュー画像７０の表示が開始される。第一見出し７１は、例えば、他の見出し７２，７３，７４，７５，７６よりも大きなサイズで表示される。また、第一見出し７１は、他の見出し７２，７３，７４，７５，７６よりも高い輝度で表示されてもよい。カーソル画像７８は、第一見出し７１を示すように、第一見出し７１の真下に表示されている。
【００３９】
画像表示装置３は、メニュー画像７０を表示すると、アクティブ表示する見出しを第一見出し７１から第二見出し７２へと変化させるアニメーション表示を行う。画像表示装置３は、図７に示すように、第一見出し７１のサイズや輝度を他の見出し７２，７３，７４，７５，７６のサイズや輝度と同様とし、かつ矢印Ｙ３で示すようにカーソル画像７８を画像右側に向けて移動させる。
【００４０】
画像表示装置３は、図４に示すように第二見出し７２を指し示す位置でカーソル画像７８の移動を停止させ、かつ第二見出し７２を他の見出し７１，７３，７４，７５，７６よりも大きなサイズや高い輝度でアクティブ表示させる。これにより、アクティブ表示する見出しを変更するアニメーション表示が完了する。
【００４１】
本実施形態の画像表示装置３は、メニュー画像７０のアニメーション表示と並行して、情報画像８０のアニメーション表示を行う。図７に示すように、情報画像８０のアニメーション表示において、画像表示装置３は、第一モードの情報画像８１をスライドアウトさせ、第二モードの情報画像８２をスライドイン表示させる。スライドアウトおよびスライドインの方向は、図７に矢印Ｙ２で示すように画像横方向である。画像表示装置３は、第一モードの情報画像８１を情報表示領域３１ｃの左端へと左側に向けてスライドアウトさせ、かつ第二モードの情報画像８２を情報表示領域３１ｃの右端から左側に向けてスライドイン表示させる。スライドアウトおよびスライドイン表示では、情報画像８０の輝度や透過度が低くされてもよい。
【００４２】
画像表示装置３は、第二モードの情報画像８２が図４に示す所定の表示位置まで移動すると、スライドイン表示を終了する。スライドイン表示の際に情報画像８０の輝度や透過度が低くされていた場合には、これらの値が通常表示の輝度や透過度に変更される。画像表示装置３は、メニュー画像７０のアニメーション表示と、情報画像８０のアニメーション表示とを同じタイミングで終了させてもよい。メニュー画像７０のアニメーション表示および情報画像８０のアニメーション表示が完了すると、モードの遷移が完了する。
【００４３】
画像表示装置３は、モードの遷移が完了してから十字ボタンに対する操作入力がなされないまま一定時間が経過すると、図８に示すようにメニュー画像７０を非表示とする。画像表示装置３は、メニュー画像７０を非表示とする場合、メニュー画像７０を情報表示領域３１ｃの上端に向けてスライドアウトさせる。
【００４４】
上記とは逆に、アクティブ表示する見出しを相対的に左側ＬＳの見出しへ変化させる場合、画像表示装置３は、情報画像８０のスライドアウトおよびスライドインの方向を右方向とする。例えば、十字ボタンの左ボタンが押下されて第二モードから第一モードへのモード切り替えが指令されたとする。この場合、画像表示装置３は、メニュー画像７０において第二見出し７２から第一見出し７１へ向けてカーソル画像７８を移動させる。アクティブ表示される見出しは、第二見出し７２から第一見出し７１に変化する。つまり、メニュー画像７０では、左側ＬＳへ向かうアニメーション表示がなされる。一方、画像表示装置３は、第二モードの情報画像８２を情報表示領域３１ｃの右端へと右側に向けてスライドアウトさせ、第一モードの情報画像８１を情報表示領域３１ｃの左端から右側に向けてスライドイン表示させる。
【００４５】
画像表示装置３は、アクティブ表示する見出しを見出し７１，７２，７３，７４，７５，７６の一端から他端へと変化させる場合、回り込みアニメーション表示を行う。回り込みアニメーション表示は、カーソル画像７８が見出し７１，７２，７３，７４，７５，７６の背面側を回り込むかのように見せる演出である。右ボタンに対する押下操作によってアクティブ表示する見出しを第六見出し７６から第一見出し７１へと変化させる場合について回り込みアニメーション表示について説明する。画像表示装置３は、カーソル画像７８を第六見出し７６を示す位置から右方向へ移動させながら、カーソル画像７８をフェードアウトさせる。次に、画像表示装置３は、第一見出し７１よりも左側の位置でカーソル画像７８をフェードイン表示させ、第一見出し７１を示す位置まで移動させる。
【００４６】
以上説明したように、本実施形態の車両用表示装置１は、車両における運転者の前方に配置され、画像を表示する画像表示装置３を有する。画像表示装置３の情報表示領域３１ｃに表示される画像は、情報画像８０と、メニュー画像７０と、を含む。情報画像８０は、複数のモードのうち選択されたモードに応じた情報を表示する画像である。メニュー画像７０は、各モードに対応する複数の見出し７１，７２，７３，７４，７５，７６が画像横方向に配列された画像である。メニュー画像７０は、画像表示装置３によって表示および非表示が切り替えられる。
【００４７】
画像表示装置３は、メニュー画像７０が非表示のときにモードを切り替える操作入力がなされると、メニュー画像７０を表示させ、かつ複数の見出し７１，７２，７３，７４，７５，７６のうちアクティブ表示する見出しを変更前のモードに対応する見出しから変更後のモードに対応する見出しへと変化させるアニメーション表示を行う。本実施形態の車両用表示装置１は、メニュー画像７０のアニメーション表示を行うことにより、モードの遷移が操作入力に応じて正しくなされていることをユーザに伝えることができる。よって、本実施形態の車両用表示装置１は、ユーザの感覚に合致したモード遷移を行うことができる。
【００４８】
本実施形態の画像表示装置３は、情報表示領域３１ｃに表示する画像についての操作入力がなされないまま一定時間が経過すると、メニュー画像７０を非表示とする。よって、メニュー画像７０の表示領域を有効活用することや、表示画像数の低減による視認性の向上を図ることができる。
【００４９】
本実施形態の画像表示装置３は、変更後のモードに応じた情報画像８０を画像横方向にスライドイン表示させる。このスライドイン表示のスライド方向は、変更前のモードに対応する見出しから変更後のモードに対応する見出しへ向かう方向と逆方向である。よって、本実施形態の画像表示装置３は、以下に説明するように、モード変更時の演出をより直感的とすることができる。
【００５０】
例えば、第一モードから第二モードへとモードが変更される場合、アクティブ表示される見出しは、第一見出し７１から右隣の第二見出し７２に変化する。このときに、新たなモードに対応する情報画像８０である第二モードの情報画像８２が右側からスライドインしてくることで、モードの切り替わりが直感的に分かりやすい。一方で、情報画像８０のアニメーション表示のみでメニュー画像７０においてモード変更のアニメーション表示がなされないと、ユーザが違和感を覚えるかもしれない。例えば、変更後のモードに対応する第二見出し７２をアクティブ表示にした状態でメニュー画像７０を表示したとする。この場合、運転者は、自分のボタン操作が正しく反映されたモード遷移であるかを直感的に認識しにくいことがある。
【００５１】
これに対して、本実施形態の画像表示装置３は、アクティブ表示する見出しを第一見出し７１から第二見出し７２に変化させるアニメーション表示を行う。アクティブな見出しが第一見出し７１から第二見出し７２へと右側ＲＳに向けて変化する。右ボタンを押す操作入力に対してアクティブな見出しが右側へ向けて変化することで、操作入力とこれに対する画像表示装置３の動作とが一致していることをユーザが直感的に認識しやすくなる。
【００５２】
本実施形態の車両用表示装置の表示方法は、画像表示装置３に情報画像８０およびメニュー画像７０を表示する表示ステップを含む。表示ステップは、例えば、図６、図７、図４に示されている。情報画像８０は、複数のモードのうち選択されたモードに応じた画像である。メニュー画像７０は、各モードに対応する複数の見出し７１，７２，７３，７４，７５，７６が画像横方向に配列された画像である。
【００５３】
メニュー画像７０が非表示のときにモードを切り替える操作入力がなされると、表示ステップにおいて、図６に示すようにメニュー画像が表示され、かつ図６、図７、図４に示すように、複数の見出し７１，７２，７３，７４，７５，７６のうちアクティブ表示する見出しを変更前のモードに対応する第一見出し７１から変更後のモードに対応する第二見出し７２へと変化させるアニメーション表示が行われる。よって、本実施形態の車両用表示装置の表示方法は、ユーザの感覚に合致したモード遷移を行うことができる。
【００５４】
［実施形態の変形例］
実施形態の変形例について説明する。上記実施形態において、メニュー画像７０の表示および非表示を切り替える場合に、情報画像８０の拡縮がなされてもよい。例えば、メニュー画像７０が表示状態から非表示状態へと切り替えられる場合、メニュー画像７０が表示されていた領域に向けて情報画像８０が拡大されてもよい。メニュー画像７０が非表示状態から表示状態へと切り替えられる場合、情報画像８０が縮小されてもよい。
【００５５】
モードの変更に伴う情報画像８０のスライドアウトおよびスライドイン表示のスライド方向は、例示したものには限定されない。例えば、アクティブ表示される見出しの変化方向と情報画像８０のスライド方向が同じ方向であってもよい。スライドアウトおよびスライドイン表示のスライド方向は、画像上下方向であってもよい。
【００５６】
モードの変更に伴う情報画像８０の切り替えは、スライドアウトおよびスライドイン表示には限定されない。画像表示装置３は、例えば、変更前のモードの情報画像８０をその場でフェードアウトさせ、変更後のモードの情報画像８０をフェードイン表示させてもよい。
【００５７】
アクティブ表示させる見出しを変化させるアニメーション表示は、例示したものには限定されない。このアニメーション表示は、適宜な態様でなされればよい。例えば、アクティブ表示は、対象の見出しを枠で囲い、枠の内部で明暗を反転表示させるものであってもよい。この場合、この枠を変更前の見出しから変更後の見出しへと移動させるようなアニメーション表示がなされてもよい。アニメーション表示がなされていることをユーザが認識しやすいように、ある程度の時間をかけてアニメーション表示がなされることが好ましい。カーソル画像７８の移動アニメーションは、アクティブ表示する見出しの変化を分かりやすく伝える点で有効である。
【００５８】
メニュー画像７０は、情報画像８０の上側に表示されることに代えて、情報画像８０の下側に表示されてもよい。操作入力が入力される入力部は、十字ボタンには限定されず、様々な入力部を採用可能である。
【００５９】
アクティブ表示する見出しの変化は、隣り合う見出し同士で行われるものには限定されない。変更前のモードに対応する見出しと、変更後のモードに対応する見出しとの間に、他の見出しが存在していてもよい。この場合、例えば、上記実施形態と同様のメニュー画像７０のアニメーション表示が複数回繰り返されてもよい。あるいは、間に挟まれた見出しをアクティブ表示することなく、モード変更前の見出しからモード変更後の見出しへアクティブ表示が一段階で変化してもよい。
【００６０】
非表示判定条件は、例示したものには限定されない。例えば、ユーザの操作入力によってメニュー画像７０の表示および非表示が切り替えられてもよい。この場合に、モード切り替えの操作入力によって自動的にメニュー画像７０が表示されることで、ユーザの操作負荷が軽減される。
【００６１】
上記の実施形態および変形例に開示された内容は、適宜組み合わせて実行することができる。
【符号の説明】
【００６２】
１  車両用表示装置
２  筐体
３  画像表示装置
４  リング
５  文字板
６，７  カバー部材
２１  開口
２２  見返し
３１  液晶表示部
３１ａ  画像表示領域
３１ｂ  内側領域
３１ｃ  情報表示領域
３２  枠部材
４１  左端部
４２  右端部
５１  窓
５２，５３  表示意匠領域
５４  表示意匠
６１  目盛り画像
６２  指針画像
６３  車速画像
６４  シフトポジション画像
７０  メニュー画像
７１  第一見出し
７２  第二見出し
７３  第三見出し
７４  第四見出し
７５  第五見出し
７６  第六見出し
７７  境界線画像
７８  カーソル画像
８０  情報画像
８１  第一モードの情報画像
８２  第二モードの情報画像
ＢＵ  上端の境界線
ＢＤ  下端の境界線
ＢＬ  左端の境界線
ＢＲ  右端の境界線
Ｄ１  外径
Ｄ２  内径
Ｈ  車両上下方向
Ｗ  車幅方向
【図１】
2018122671.tif 000003
【図２】
2018122671.tif 000004
【図３】
2018122671.tif 000005
【図４】
2018122671.tif 000006
【図５】
2018122671.tif 000007
【図６】
2018122671.tif 000008
【図７】
2018122671.tif 000009
【図８】
2018122671.tif 000010